(57)【要約】【課題】ＤＤＣに対応した機器においてＥＤＩＤフォーマットに制限を加えることが可能な再生装置および信号仲介装置を提供する。【解決手段】再生装置２０から映像を含む信号を入力されて該映像を含む信号をディスプレイ３０に出力するＳＴＢ１０において、マイコン１０ｄは、ディスプレイ３０のＥＤＩＤ１を取得し、取得したＥＤＩＤ１からメモリ１０ｅに設定された制限ＥＤＩＤを削除してＥＤＩＤ２を生成し、ＥＤＩＤ２をＥＤＩＤＲＯＭ１０ｃに記憶し、再生装置２０のＥＤＩＤ送信要求に応じてＥＤＩＤＲＯＭ１０ｃに記憶されたＥＤＩＤ２を出力する。【選択図】図１
2008118461.tif 000002
【特許請求の範囲】
【請求項１】
ＨＤＭＩ端子と、該ＨＤＭＩ端子を介して接続された外部機器からＥＤＩＤを取得して記録媒体から情報を読み取った映像音声信号を該ＥＤＩＤに従って再生する信号再生部と、を備え、該映像音声信号を上記ＨＤＭＩ端子から出力する再生装置において、
利用者の操作入力を受け付ける操作入力部と、
ＥＤＩＤを記憶するＥＤＩＤＲＯＭと、
ＥＤＩＤの何れの項目を制限するかを示す制限情報を記憶するメモリと、
上記ＨＤＭＩ端子のＤＤＣラインを介して外部機器からＥＤＩＤを取得するとともに、上記操作入力部が受け付けた操作入力に応じて上記制限情報を上記メモリに記憶させ、上記ＥＤＩＤＲＯＭに所定のＥＤＩＤを設定する制御部と、
を備え、
上記制御部は、上記外部機器からＥＤＩＤを取得すると、制限情報に基づいて該ＥＤＩＤから所定の情報を削除し、該所定の情報が削除されたＥＤＩＤを上記ＥＤＩＤＲＯＭに記憶させ、
上記信号再生部は、上記外部機器のＥＤＩＤに代えて、上記ＥＤＩＤＲＯＭに記憶されたＥＤＩＤを取得して映像音声信号を再生することを特徴とする再生装置。
【請求項２】
送信機器から映像を含む信号を入力されて該映像を含む信号を受信機器に出力する信号仲介装置において、
上記受信機器の受信仕様を示す情報を取得する情報取得手段と、
取得した上記受信仕様を示す情報から特定の情報を削除して自らの受信仕様を示す情報として記憶する情報変更手段と、
上記送信機器の取得要求に応じて上記情報変更手段の記憶する受信仕様を出力する情報出力手段と、
を備えることを特徴とする信号仲介装置。
【請求項３】
上記映像を含む信号は、音声信号を含むことを特徴とする上記請求項２に記載の信号仲介装置。
【請求項４】
上記受信仕様を示す情報は、ＥＤＩＤであることを特徴とする上記請求項２または請求項３に記載の信号仲介装置。
【請求項５】
上記受信仕様を示す情報は、ＤＤＣ対応不揮発性メモリに記憶されており、ＤＤＣを介して伝達されることを特徴とする上記請求項２〜請求項４のいずれか一項に記載の信号仲介装置。
【請求項６】
利用者の操作入力を受け付ける操作入力手段を備え、該操作入力に基づいて上記特定の情報を設定する特定情報設定手段を備えることを特徴とする上記請求項２〜請求項５のいずれか一項に記載の信号仲介装置。
【請求項７】
上記信号仲介装置は、上記送信機器に内蔵されることを特徴とする上記請求項２〜請求項６のいずれか一項に記載の信号仲介装置。
【請求項８】
上記信号仲介装置は、上記受信機器に内蔵されることを特徴とする上記請求項２〜請求項６のいずれか一項に記載の信号仲介装置。
【請求項９】
上記特定の情報は、解像度を示す情報であることを特徴とする上記請求項２〜請求項８の何れか一項に記載の信号仲介装置。
【請求項１０】
上記特定の情報は、色空間を示す情報であることを特徴とする上記請求項２〜請求項９の何れか一項に記載の信号仲介装置。
【請求項１１】
上記特定の情報は、音声出力フォーマットを示す情報であることを特徴とする上記請求項３〜請求項１０の何れか一項に記載の信号仲介装置。
【請求項１２】
上記特定の情報は、スピーカアロケーションを示す情報であることを特徴とする上記請求項３〜請求項１１の何れか一項に記載の信号仲介装置。
【発明の詳細な説明】
【技術分野】
【０００１】
本発明は、再生装置および信号仲介装置に関する。
【背景技術】
【０００２】
映像表示装置用のプラグアンドプレイとも言うべき規格として、ＤＤＣ（Display Data Channel）という規格が存在している。ＤＤＣは、ソース（映像信号を出力する機器）とシンク（映像信号を表示する機器）との間で、シンクの受信仕様（解像度、スピーカ配置等）の情報をやり取りして、ソース側がシンクの属性に合わせた設定を自動的に行えるようにするものである。ＤＤＣでは、シンクの受信仕様は、ＥＤＩＤ（extended display identification）と呼ばれるフォーマット化されたデータの形でやり取りされる。
【０００３】
このＥＤＩＤを最適に設定する技術として以下のものが知られている。
即ち、入力される映像信号もしくは機器の設置場所に合わせて最適なＥＤＩＤを設定する技術として、複数種類の映像信号用のＥＤＩＤデータを保持し、入力する映像信号の種類を示す情報もしくは機器の設置場所に基づき、この映像信号用のＥＤＩＤデータをＤＤＣ対応不揮発性メモリに設定する技術が知られている（例えば特許文献１、３等）。
また、接続される映像表示装置やＡＶアンプ装置に合わせて最適なＥＤＩＤを設定する技術として、接続される装置から取得したＥＤＩＤのＩＤ情報が以前読み取ったＩＤと一致すると、以前接続したときに記憶している映像、音声フォーマットに自動的に設定する技術が知られている（例えば特許文献２等）。
【特許文献１】特開２００４−１０２０６７号公報
【特許文献２】特開２００５−１７５５７０号公報
【特許文献３】特開２００６−１７９９７３号公報
【発明の開示】
【発明が解決しようとする課題】
【０００４】
ところで、ソースは、シンクが対応可能なフォーマットが複数存在する場合は、自動的に最適と判断するフォーマットにて映像信号や音声信号を出力する。しかしながら、ユーザによっては特定の解像度やカラースペース（ＹＣｂＣｒ、ＲＧＢ等）、音声出力フォーマット（ＭＰ３、ＡＡＣ、ＡＴＲＡＣ、ＰＣＭ等）で視聴したい人もおり、自動的に選択されたフォーマットでの視聴を好まず、自分の好みの表示を行えるようにすることが望まれていた。
【０００５】
また、音声出力の場合、ＤＴＳ（Digital Theater System）等の多ｃｈ出力にシンクが対応はしていても、実際には左右一対のスピーカで出力していることが考えられる。この場合、ＦＲ（Front Right）とＦＬ（Front Left）のみしかスピーカ出力されず、他のｃｈの音声は再生されずに無駄になっていた。
【０００６】
本発明は、上記課題に鑑みてなされたもので、ＤＤＣに対応した機器においてＥＤＩＤフォーマットに制限を加えることが可能な再生装置および信号仲介装置の提供を目的とする。
【課題を解決するための手段】
【０００７】
上記課題を解決するために、本発明にかかる信号仲介装置では、送信機器から映像を含む信号を入力されて該映像を含む信号を受信機器に出力する信号仲介装置において、上記受信機器の受信仕様を示す情報を取得する情報取得手段と、取得した上記受信仕様を示す情報から特定の情報を削除して自らの受信仕様を示す情報として記憶する情報変更手段と、上記送信機器の取得要求に応じて上記情報変更手段の記憶する受信仕様を出力する情報出力手段と、を備える構成としてある。
上記構成において、情報取得手段が上記受信機器の受信仕様を示す情報を取得し、情報変更手段が取得した上記受信仕様を示す情報から特定の情報を削除して自らの受信仕様を示す情報として記憶し、情報出力手段は上記送信機器の取得要求に応じて上記情報変更手段の記憶する受信仕様を出力する。
【０００８】
受信仕様とは、映像信号を受信機器が受信した場合に、再生や表示が可能な映像信号のフォーマットのことである。また映像信号は、様々なフォーマットが規定されているため、これらフォーマットのうち何れか又は組合せを指して特定の情報とした。無論、これらフォーマットの全てを特定の情報としても構わない。また、映像を含む信号としては、特に音声信号が考えやすく、音声信号のフォーマットに対しても映像信号と同様に受信仕様を制限する構成が採用可能である。
【０００９】
これにより、各送信機器や受信機器にて受信仕様を個別に設定する必要が無くなり、信号仲介装置にて送信機器と受信機器とを仲介させることにより特定の情報を削除させることが出来る。つまり何れの送信機器と受信機器を使用しても、受信機器は同じ設定の映像信号や音声信号を受信することが可能になる。
【００１０】
また、上記受信仕様を示す情報は、ＥＤＩＤとすると好適である。即ち、広く普及した規格であるＥＤＩＤを採用することにより、より多くの利用者の利便性を向上できる。
【００１１】
さらに、上記受信仕様を示す情報は、ＤＤＣ対応不揮発性メモリに記憶されており、ＤＤＣを介して伝達される構成としてもよい。即ち、ＥＤＩＤと同じく、ＤＤＣを採用した伝送規格も数多く存在し、より多くの利用者の利便性を向上できる。ＤＤＣを採用したコネクタ（ケーブル）としては、ＨＤＭＩ、ＤＶＩ、アナログＲＧＢ、ＭＤＲ（ミニ・デルタ・リボン）等、デジタルからアナログまで幅広く存在する。
【００１２】
さらに、利用者の操作入力を受け付ける操作入力手段を備え、該操作入力に基づいて上記特定の情報を設定する特定情報設定手段を備える構成としてもよい。即ち、利用者により適宜、削除する特定の情報を設定可能とすることにより、利用者の利便性が更に向上する。
【００１３】
さらに、上記信号仲介装置は、上記送信機器に内蔵されたり上記受信機器に内蔵されたりする構成としてもよい。即ち、本発明は、セットトップボックスのように単体で実現するのみならず、送信機器や受信機器と一体に形成されてもよい。つまり、信号仲介装置が内蔵された側の機器に、他方の機器を別の機器に入替えて接続しても、受信仕様を改めて設定する必要は無く、常に同じ受信仕様で映像信号や音声信号が伝送されることになる。
【００１４】
また、上記特定の情報としては、解像度を示す情報、色空間を示す情報、音声出力フォーマットを示す情報、スピーカアロケーションを示す情報等が採用可能である。解像度や色空間や音声出力フォーマットは、利用者の嗜好が現れやすいものであり、特に利用者の利便性の向上が期待できる。また、スピーカアロケーションは、正しく設定されないと存在するはずの音声が聴けないことになるため、この情報を制限可能とすることによりユーザの利便性が向上する。
【発明の効果】
【００１５】
以上説明したように本発明によれば、各送信機器や受信機器にて受信仕様を個別に設定する必要が無くなり、信号仲介装置にて送信機器と受信機器とを仲介させることにより特定の情報を削除させることが出来る。つまり何れの送信機器と受信機器を使用しても、受信機器は同じ設定の映像信号を受信することが可能になる。
【００１６】
また請求項３にかかる発明によれば、音声信号でも同様の作用効果を奏する。
そして請求項４〜１２にかかる発明によれば、さらなる利用者の利便性の向上が期待できる。
さらに請求項１のような、より具体的な構成において、上述した請求項２〜請求項の各発明と同様の作用を奏することはいうまでもない。
【発明を実施するための最良の形態】
【００１７】
以下、下記の順序に従って本発明の実施形態を説明する。
（１）セットトップボックス、再生装置、ディスプレイの構成：
（２）ＳＴＢに制限ＥＤＩＤを設定するマイコンの処理：
（３）ＥＤＩＤを制限するマイコンの処理：
（４）まとめ：
【００１８】
（１）セットトップボックス、再生装置、ディスプレイの構成： 
以下、本発明の実施形態について図１〜図３を参照して説明する。本実施形態においては、信号仲介装置としてセットトップボックス（ＳＴＢ）、送信機器として再生装置、受信機器としてディスプレイ、をそれぞれ採用して説明するが、この実施形態に限定されるものではなく、ＳＴＢを再生装置に組み込んだもの、ＳＴＢをディスプレイに組み込んだもの、ＳＴＢと再生装置とディスプレイとが一体に形成されたもの、等様々な変形が可能である。また再生装置は、記録機能を含んでもよく、再生機能は一種類の記録媒体から再生するのみならず、複数の記録媒体（ＨＤＤ、ＤＶＤ、ビデオテープ、等）を再生可能なコンボ機であっても構わない。さらに受信機器は必ずしもディスプレイなどの表示機能を含む必要は無く、受信した映像信号を更に外部に出力するものであっても良いし、再生機能や記録機能を含んで構成されてもよい。また、ＳＴＢと再生装置、およびＳＴＢとディスプレイは、それぞれＨＤＭＩケーブルで接続されているものを採用して説明するが、無論、ＤＤＣを有する端子であればＤＶＩ、アナログＲＧＢ、ＭＤＲ（ミニ・デルタ・リボン）等のケーブルで接続される構成でも構わない。
【００１９】
図１は本実施形態にかかるＳＴＢ１０の概略構成と、再生装置２０およびディスプレイ３０との接続関係を示したブロック構成図である。ＳＴＢ１０は、ＨＤＭＩ端子１０ａと、ＨＤＭＩ端子１０ｂと、ＥＤＩＤＲＯＭ１０ｃと、マイコン１０ｄと、メモリ１０ｅと、操作入力部１０ｆとを含んで構成される。
【００２０】
マイコン１０ｄは、ＥＤＩＤＲＯＭ１０ｃ、メモリ１０ｅ、操作入力部１０ｆ、と接続されている。また、マイコン１０ｄは内部にＣＰＵやＲＯＭやＲＡＭを備えており、ＲＯＭに記録された各種プログラムをＲＡＭをワークエリアとしてＣＰＵで実行してＳＴＢ全体を制御する。
【００２１】
マイコン１０ｄは、操作入力部１０ｆから入力される（もしくはマイコン１０ｄが操作入力部から取得する）ＥＤＩＤ制限を表す操作入力信号に基づいて、メモリ１０ｅにＥＤＩＤ制限情報を記録する。また、マイコン１０ｄはＨＤＭＩ端子１０ｂのＤＤＣラインと接続されており、このＤＤＣラインを介してディスプレイ３０のＥＤＩＤ１を取得し、メモリ１０ｅのＥＤＩＤ制限情報に従ってＥＤＩＤ１から所定の情報を削除したＥＤＩＤ２を生成し、ＥＤＩＤＲＯＭ１０ｃにＥＤＩＤ２を記憶させる。
【００２２】
ＥＤＩＤＲＯＭ１０ｃは、例えばＥＥＰＲＯＭ（登録商標）やフラッシュメモリ等の書換可能な不揮発性のメモリで実現される。無論、不揮発性の記憶媒体であればＲＡＭであってもよく、半導体メモリや有機メモリや磁気記憶装置等、現在および将来において実現されうるいかなる記憶媒体であっても採用可能である。ＥＤＩＤＲＯＭ１０ｃには、ＥＤＩＤが所定のフォーマットに従って記憶されており、再生装置２０からＨＤＭＩ端子１０ａのＤＤＣラインを介してＥＤＩＤを要求されると、このＤＤＣラインを介してＥＤＩＤの情報を再生装置２０に送出する。この再生装置２０のＥＤＩＤ取得要求に応じて記憶するＥＤＩＤを出力するＥＤＩＤＲＯＭ１０ｃが情報出力手段を構成する。
【００２３】
メモリ１０ｅも、例えばＥＥＰＲＯＭやフラッシュメモリ等の書換可能な不揮発性のメモリで実現される。無論、不揮発性の記憶媒体であればＲＡＭであってもよく、半導体メモリや有機メモリや磁気記憶装置等、現在および将来において実現されうるいかなる記憶媒体であっても採用可能である。メモリ１０ｅにはＥＤＩＤ制限情報が記憶され、マイコン１０ｄからの制御に従ってこのＥＤＩＤ制限情報のマイコン１０ｃに対する出力およびＥＤＩＤ制限情報の書換を行う。
【００２４】
操作入力部１０ｆは、例えばディップスイッチにより実現され、該ディップスイッチがオンのときＨｉｇｈ（Ｈ）、オフのときＬｏｗ（Ｌ）を出力する等の構成が採用できる。ＥＤＩＤは解像度、色空間（カラースペース）、音声出力、スピーカアロケーション等の複数の設定項目を有しており、これら設定項目それぞれにディップスイッチを設けてもよいし、多くの利用者が変更を希望する設定項目に対してのみディップスイッチを設けてもよい。無論、この操作入力部１０ｆは、リモコンとリモコン受信部や、キーボードや、マウス等で実現されてもよく、これらの構成を採用する場合は、表示部やＯＳＤ処理部等を構成に加えることになる。
【００２５】
ＨＤＭＩ端子１０ａに再生装置２０から入力される映像信号や音声信号はＨＤＭＩ端子１０ｂにそのまま出力される。無論、ＨＤＭＩ端子１０ａから入力された映像信号や音声信号の増幅やノイズ除去を行ってＨＤＭＩ端子１０ｂから出力する構成としても構わない。
【００２６】
図２は再生装置２０の概略ブロック構成図である。再生装置２０は、信号再生部２０ａと、ＡＶエンコーダ２０ｂと、ＴＭＤＳトランスミッタ２０ｄと、マイコン２０ｃと、ＨＤＭＩ端子２０ｅとを含んで構成される。
【００２７】
再生装置２０において、信号再生部２０ａは、記録媒体から取得した情報から映像信号や音声信号を再生してＡＶエンコーダ２０ｂに出力する。ＡＶエンコーダ２０ｂは、映像信号や音声信号、水平同期信号や垂直同期信号等の所定の情報をＴＭＤＳ信号変換方式によって符号化し、ＴＭＤＳトランスミッタ２０ｄに出力する。ＴＭＤＳトランスミッタ２０ｄは符号化された情報を受け取ると、ＨＤＭＩ規格に基づいたデジタル信号に変換してＨＤＭＩ端子２０ｅから送出する。ここで、ＴＭＤＳ（Transmission Minimized Differential Signaling）信号変換方式とは、送信側で並列データを高速直列データに変調して伝送すると、受信側でそのデータを受けて復調する技術である。
【００２８】
マイコン２０ｃは、ＨＤＭＩ端子２０ｅのＤＤＣラインに接続されており、ＨＤＭＩ端子２０ｅにＨＤＭＩケーブルを介して接続される外部機器から、該ＨＤＭＩ端子２０ｅのＤＤＣラインを介して、ＥＤＩＤの送信を要求する信号を出力する。そしてＥＤＩＤを受信すると、受信したＥＤＩＤに基づいてＡＶエンコーダ２０ｂを制御し、該ＥＤＩＤに設定されたフォーマットに従った映像信号を生成させる。本実施形態においてこの外部機器はＳＴＢ１０である。
【００２９】
またマイコン２０ｃは、ＨＤＭＩ端子２０ｅに接続されるＨＤＭＩケーブルにより、再生装置と外部機器との接続の有無を検出している。具体的には、ＨＤＭＩ端子２０ｅにはＨＰＤ（Hot Plug Detector）があり、マイコン２０ｃはこのＨＰＤから接続の有無の情報を受け取る。マイコン２０ｃはこのＨＰＤから受け取った接続の有無の情報に基づいてＨＤＭＩ端子２０ｅから映像信号や音声信号を出力するか否かを判断し、接続がある場合はＡＶエンコーダ２０ｂやＴＭＤＳトランスミッタ２０ｄを制御して符号化とデジタル変換とを行わせてＨＤＭＩ端子２０ｅからの出力を行わせ、接続が無い場合はＡＶエンコーダ２０ｂやＴＭＤＳトランスミッタ２０ｄを制御して符号化とデジタル変換とを停止させてＨＤＭＩ端子２０ｅからの出力を停止させる。
【００３０】
図３はディスプレイ３０の概略ブロック構成図である。ディスプレイ３０は、ＴＭＤＳレシーバ３０ａと、映像信号処理部３０ｂと、マイコン３０ｃと、ＥＤＩＤＲＯＭ３０ｄと、ＨＤＭＩ端子３０ｅと、駆動回路３０ｆと、表示器３０ｇと、音声信号処理部３０ｈと、スピーカ３０ｉとを含んで構成される。
【００３１】
ディスプレイにおいて、ＴＭＤＳレシーバ３０ａは、ＨＤＭＩ端子３０ｅを介してＳＴＢ１０から入力される、ＴＭＤＳ信号変換方式によって符号化されたデジタル信号を受け取る。そして、ＴＭＤＳ信号変換方式によってデジタル映像信号、デジタル音声信号、水平同期信号、及び垂直同期信号を復号化し、映像信号処理部３０ｂ、音声信号処理部３０ｈおよびマイコン３０ｃに出力する。
【００３２】
ＴＭＤＳレシーバ３０ａで復号化されたデジタル映像信号は、映像信号処理部３０ｂに入力される。映像信号処理部３０ｂは、入力されたデジタル映像信号にスケーリング処理や各種画質調整処理を施して駆動回路３０ｆに出力する。駆動回路３０ｆは、入力された映像信号に基づいてパネル駆動信号を生成して表示器３０ｇに出力する。表示器３０ｇは入力されるパネル駆動信号（ディスプレイ駆動信号）に基づいて表示画素を駆動することにより画面に映像を表示する。表示器としては、ＣＲＴ、液晶パネル、プラズマディスプレイパネル、プロジェクタの光源と投影レンズとＤＭＤ（Digital MicroMirror Device）等の組合せ、等、駆動信号に基づいて映像を表示するものであれば様々なものが採用可能である。
【００３３】
一方、ＴＭＤＳレシーバ３０ａで復号化されたデジタル音声信号は、音声信号処理部３０ｈに入力される。音声信号処理部３０ｈは、デジタル音声信号からアナログ音声信号を再生するとともに音声信号に所定の信号増幅を行ってスピーカ３０ｉに出力し、音声を再生させる。
【００３４】
ＥＤＩＤＲＯＭ３０ｄは、例えばＥＥＰＲＯＭやフラッシュメモリ等の書換可能な不揮発性のメモリで実現される。無論、不揮発性の記憶媒体であればＲＡＭであってもよく、半導体メモリや有機メモリや磁気記憶装置等、現在および将来において実現されうるいかなる記憶媒体であっても採用可能である。ＥＤＩＤＲＯＭ３０ｄには、ＥＤＩＤが記憶されており、ＳＴＢ１０からＨＤＭＩ端子３０ｅのＤＤＣラインを介してＥＤＩＤを要求されると、ＨＤＭＩ端子３０ｅのＤＤＣラインとを介してＥＤＩＤをＳＴＢ１０に送出する。
【００３５】
マイコン３０ｃは、内蔵するＣＰＵとＲＯＭとＲＡＭとからなるプログラム実行環境を備えており、ＲＯＭに格納された各種プログラムをＲＡＭをワークエリアとしつつＣＰＵにて演算を行ってディスプレイ３０全体の制御を行う。
【００３６】
（２）ＳＴＢに制限ＥＤＩＤを設定するマイコンの処理： 
次に、図４のフローチャートを参照して、ＳＴＢ１０のメモリ１０ｅに制限ＥＤＩＤを設定するマイコン１０ｄの処理を説明する。制限ＥＤＩＤとは、ディスプレイ３０から取得したＥＤＩＤ１から、何れの項目を削除するかを示す情報であり、マイコン１０ｄはディスプレイ３０からＥＤＩＤ１を取得すると、この制限ＥＤＩＤに設定された項目の内容を削除してＥＤＩＤ２を生成する。そして、このＥＤＩＤ２をＥＤＩＤＲＯＭ１０ｃに記憶させることにより、ＳＴＢ１０のＥＤＩＤとしてＥＤＩＤ２を持たせる。
【００３７】
この処理は、一定時間毎に実行されても良いし、ＳＴＢ１０の電源が投入されたときに行われても良いし、専用の操作入力部を設けて利用者から制限ＥＤＩＤの更新を指示する操作入力を受け付けたときに実行する構成としても構わない。
【００３８】
処理が開始されると、ステップＳ１０で、カウンタｎに１を代入してステップＳ１２に進む。ここでｎはディップスイッチの番号と一対一対応しており、操作入力部１０ｆのディップスイッチがｋ個とすると、ｎ＝１，２，３，・・・，ｋ、となる。
【００３９】
ステップＳ１２では、各ディップスイッチの設定を取得して、この設定を判断する。具体的には、操作入力部１０ｆのｎ番目のディップスイッチ、即ちディップスイッチｎがオンである否かを判断する。ディップスイッチがオンである場合は条件成立としてステップＳ１４に進む。一方、ディップスイッチがオンでない場合、即ちディップスイッチがオフの場合は、条件不成立としてステップＳ２０に進み、ｎをインクリメントしてステップＳ１２からの処理を繰り返す。
【００４０】
ステップＳ１４では、ｎ番目のディップスイッチに対応するＥＤＩＤ設定項目が、制限ＥＤＩＤである旨をメモリ１０ｅに記憶させ、ステップＳ１６に進む。
【００４１】
ステップＳ１６では、全てのディップスイッチを確認したか否かを判断する。具体的には、ｎ＝ｋであるか否かを判断する。ｎ＝ｋであれば条件成立として本処理を終了する。ｎ＜ｋのときは条件不成立としてステップＳ１８に進んでｎをインクリメントした後、ステップＳ１２からの処理を繰り返す。
【００４２】
よって、所定のタイミングでメモリ１０ｅの制限ＥＤＩＤの設定や更新を行うことが可能となる。以上、操作入力部１０ｆであるディップスイッチが操作入力手段を構成し、ステップＳ１０〜Ｓ２０の処理を実行するマイコン１０ｄが特定情報設定手段を構成する。  （３）ＥＤＩＤを制限するマイコンの処理： 
次に図５のフローチャートを参照して、ディスプレイ３０のＥＤＩＤであるＥＤＩＤ１を制限するマイコン１０ｄの処理を説明する。マイコン１０ｄは、ディスプレイ３０からＥＤＩＤ１を取得し、ＥＤＩＤ１から制限ＥＤＩＤを削除したＥＤＩＤ２をＳＴＢ１０のＥＤＩＤとするとともに、再生装置２０からＥＤＩＤを要求されるとこのＥＤＩＤ２を出力する。この処理は、ＳＴＢ１０とディスプレイ３０とがＨＤＭＩケーブルで接続されたとき、制限ＥＤＩＤが更新されたとき、に実行されれば良いが、所定の時間間隔で実行されても無論構わない。
【００４３】
処理が開始されると、ステップＳ５０でディスプレイ３０のＥＤＩＤであるＥＤＩＤ１を取得してステップＳ５２に進む。具体的には、ＨＤＭＩ端子１０ｂとＨＤＭＩ端子３０ｅとを接続するＨＤＭＩケーブルのＤＤＣラインを介して、ディスプレイ３０のＥＤＩＤＲＯＭ３０ｄにＥＤＩＤの送信要求を行い、この送信要求に応じてＥＤＩＤＲＯＭ３０ｄから送信されてくるＥＤＩＤをＥＤＩＤ１として取得する。
【００４４】
ステップＳ５２では、メモリ１０ｅから制限ＥＤＩＤの情報を取得してステップＳ５４に進む。ステップＳ５４では、特定の情報を削除したＥＤＩＤを作成してステップＳ５６に進む。具体的には、ステップＳ５２で取得した制限ＥＤＩＤの情報に従って、ＥＤＩＤ１から特定の情報を削除し、ＥＤＩＤ２を作成する。
【００４５】
ステップＳ５６では、ＥＤＩＤ２をＳＴＢ１０のＥＤＩＤとして設定する。具体的には、ＥＤＩＤ２をＥＤＩＤＲＯＭ１０ｃに記憶させる。これにより、再生装置２０がＥＤＩＤの要求をすると、ＥＤＩＤＲＯＭ１０ｃにＥＤＩＤを要求するため、再生装置２０はディスプレイ３０のＥＤＩＤ１に代えて、ＳＴＢ１０のＥＤＩＤ２を取得することになる。従って、再生装置２０からは、ＥＤＩＤ２に基づいた映像信号および音声信号が出力される。
【００４６】
以上、ステップＳ５０の処理を実行するマイコン１０ｄが情報取得手段を構成し、ステップＳ５２〜Ｓ５６の処理を実行するマイコン１０ｄが情報変更手段を構成する。
【００４７】
以下、上記構成からなる本実施形態の動作を説明する。
ＳＴＢ１０を使用せずに、再生装置２０とディスプレイ３０とを直接ＨＤＭＩケーブルにて接続した場合に、ディスプレイ３０が低解像度と高解像度とに対応する旨示すＥＤＩＤを有すると、ディスプレイ３０からＥＤＩＤを取得した再生装置２０は、低解像度を最適解像度と見做してで低解像度で映像信号を出力する可能性がある。このようなときに、ＳＴＢ１０を再生装置２０とディスプレイ３０の間に介在させる。
【００４８】
そして、低解像度に対応するディップスイッチをオンにして制限ＥＤＩＤの更新を行わせる（ステップＳ１０〜Ｓ２０）。すると、ディスプレイ３０からＥＤＩＤを取得したＳＴＢ１０は、低解像度に対応するＥＤＩＤを削除してＥＤＩＤ２とし、このＥＤＩＤ２をＥＤＩＤＲＯＭ１０ｃに設定する。従って、ＥＤＩＤを要求した再生装置は、ＥＤＩＤＲＯＭ１０ｃから低解像度に対応していないＥＤＩＤ２を取得することになり、高解像度で映像信号を出力することになる。
【００４９】
また、ディスプレイ３０のＥＤＩＤが、ＤＴＳに対応する旨示すＥＤＩＤを有している場合、再生装置２０とディスプレイ３０とを直接ＨＤＭＩケーブルにて接続すると、再生装置２０はＤＴＳに合わせて５．１ｃｈの音声信号を出力する。このとき、実際には左右一対のスピーカしかディスプレイ３０に接続されていない場合もありうる。
【００５０】
このような場合、ＳＴＢ１０を再生装置２０とディスプレイ３０の間に介在させ、ＤＴＳに対応するディップスイッチをオンにして制限ＥＤＩＤを更新させる。すると、ディスプレイ３０からＥＤＩＤを取得したＳＴＢ１０は、ＤＴＳに対応するＥＤＩＤを削除してＥＤＩＤ２とし、このＥＤＩＤ２をＥＤＩＤＲＯＭ１０ｃに設定する。従って、ＥＤＩＤを要求した再生装置は、ＥＤＩＤＲＯＭ１０ｃからＤＴＳに対応していないＥＤＩＤ２を取得することになり、５．１ｃｈの音声を左右２ｃｈに振り分けて音声信号を出力することになる。
【００５１】
また、ディスプレイ３０のＥＤＩＤが、ＹＣｂＣｒに対応する旨示すＥＤＩＤを有している場合、再生装置２０とディスプレイ３０とを直接ＨＤＭＩケーブルにて接続すると、再生装置２０はＹＣｂＣｒの色空間で表現した映像信号を出力する。しかしながら、利用者によってはＲＧＢの色空間で表現された映像信号による表示を好む人もいる。
【００５２】
このような場合、ＳＴＢ１０を再生装置２０とディスプレイ３０の間に介在させ、ＹＣｂＣｒに対応するディップスイッチをオンにして制限ＥＤＩＤを更新させる。すると、ディスプレイ３０からＥＤＩＤを取得したＳＴＢ１０は、ＹＣｂＣｒに対応するＥＤＩＤを削除してＥＤＩＤ２とし、このＥＤＩＤ２をＥＤＩＤＲＯＭ１０ｃに設定する。従って、ＥＤＩＤを要求した再生装置は、ＥＤＩＤＲＯＭ１０ｃからＹＣｂＣｒに対応していないＥＤＩＤ２を取得することになり、ＲＧＢの色空間で表現された映像信号を出力することになる。
【００５３】
このように、ＳＴＢ１０で特定のＥＤＩＤを制限すると、送信機器や受信機器を変更してもＳＴＢ１０に設定された制限ＥＤＩＤに従ってＥＤＩＤが制限されるため、送信機器や受信機器でＥＤＩＤの設定変更を行う必要が無くなる。
【００５４】
（４）まとめ： 
つまり、再生装置２０から映像を含む信号を入力されて該映像を含む信号をディスプレイ３０に出力するＳＴＢ１０において、マイコン１０ｄは、ディスプレイ３０のＥＤＩＤ１を取得し、取得したＥＤＩＤ１からメモリ１０ｅに設定された制限ＥＤＩＤを削除してＥＤＩＤ２を生成し、ＥＤＩＤ２をＥＤＩＤＲＯＭ１０ｃに記憶し、再生装置２０のＥＤＩＤ送信要求に応じてＥＤＩＤＲＯＭ１０ｃに記憶されたＥＤＩＤ２を出力する。これにより、ＤＤＣに対応した機器においてＥＤＩＤフォーマットに制限を加えることが可能になる。
【００５５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５６】
【図１】ＳＴＢの概略構成と、再生装置およびディスプレイとの接続関係を示したブロック構成図である。
【図２】再生装置の概略ブロック構成図である。
【図３】ディスプレイの概略ブロック構成図である。
【図４】ＳＴＢに制限ＥＤＩＤを設定するマイコンの処理を示すフローチャートである。
【図５】ＥＤＩＤを制限するマイコンの処理を示すフローチャートである。
【符号の説明】
【００５７】
１０ａ…ＨＤＭＩ端子、１０ｂ…ＨＤＭＩ端子、１０ｃ…ＥＤＩＤＲＯＭ、１０ｄ…マイコン、１０ｅ…メモリ、１０ｆ…操作入力部、２０…再生装置、２０ａ…信号再生部、２０ｂ…ＡＶエンコーダ、２０ｃ…マイコン、２０ｄ…ＴＭＤＳトランスミッタ、２０ｅ…ＨＤＭＩ端子、３０…ディスプレイ、３０ａ…ＴＭＤＳレシーバ、３０ｂ…映像信号処理部、３０ｃ…マイコン、３０ｄ…ＥＤＩＤＲＯＭ、３０ｅ…ＨＤＭＩ端子、３０ｆ…駆動回路、３０ｇ…表示器、３０ｈ…音声信号処理部、３０ｉ…スピーカ
【図１】
2008118461.tif 000003
【図２】
2008118461.tif 000004
【図３】
2008118461.tif 000005
【図４】
2008118461.tif 000006
【図５】
2008118461.tif 000007